(57)【特許請求の範囲】
【請求項１】
基部（３）および蓋（４）を具備したルーフボックスであって、該ルーフボックスは、前記基部（３）および／または前記蓋（４）に配置されて、前記蓋（４）を前記基部（３）にロックするためのロック手段（１０）を具備し、該ロック手段（１０）は、互いから所定の距離だけ離れて配置され且つロック位置とロック解除位置との間を動作可能な、少なくとも第１および第２の移動可能なロック要素（４０）を具備し、該第１および第２ロック要素（４０）は、前記ロック位置に配置された場合、相手側の前記基部（３）または蓋（４）に配置された第１および第２ロック部材（４１）とそれぞれ係合するように配置され、前記ロック手段（１０）は、前記第１および第２ロック要素と協働して作動する細長い作動要素（３０）をさらに具備し、アクチュエータ（２１）が配置されて、前記細長い作動要素（３０）をロック位置から第１位置へと移動させ、これにより前記第１および第２ロック要素（４０）を前記ロック位置から前記ロック解除位置へと移動させ、前記細長い作動要素（３０）は、前記第１および第２ロック要素（４０）との協働した作業において、並進によって移動するように構成されたルーフボックスにおいて、
前記第１ロック要素（４０）および前記第２ロック要素（４０）は、前記細長い作動要素（３０）に対して移動可能に接続され、これにより前記第１および第２ロック要素は、前記ロック解除位置から前記ロック位置へと順次的に移動することが可能である、ルーフボックス。
【請求項２】
前記第１ロック要素（４０）は移動して、前記細長い作動要素（３０）の移動無しに第１ロック部材（４１）と係合することが可能であり、好適に前記第１ロック要素（４０）は、所定の距離および／または所定の角度だけ移動し、好適に前記第２ロック要素（４０）は、前記ロック位置へと戻る移動から、前記細長い作動要素（３０）を保持する、請求項１に記載のルーフボックス。
【請求項３】
前記細長い作動要素（３０）は、前記第１および第２ロック要素（４０）がロック位置からロック解除位置へと同時に移動した後に、第１中間位置へと戻る、請求項１または２に記載のルーフボックス。
【請求項４】
前記細長い作動要素（３０）および前記第２ロック要素（４０）は、ロック位置へと同時に移動することが可能である、請求項１〜３のいずれか一項に記載のルーフボックス。
【請求項５】
前記細長い作動要素（３０）は、第１固定位置である位置へと移動可能であり、当該位置において、前記第１および第２ロック要素（４０）は、前記ロック解除位置へと移動することを防止されている、請求項１〜４のいずれか一項に記載のルーフボックス。
【請求項６】
前記第１および第２ロック要素（４０）は、第１および第２付勢部材（４６）により個々のロック位置に向かって個別に付勢されている、請求項１〜５のいずれか一項に記載のルーフボックス。
【請求項７】
前記第１および第２ロック要素（４０）は第１中心軸（Ａ１）に沿って伸び、該第１中心軸（Ａ１）は前記細長い作動要素（３０）と平行である、請求項１〜６のいずれか一項に記載のルーフボックス。
【請求項８】
前記第１および第２ロック要素（４０）は、ロック位置からロック解除位置へと、前記細長い作動要素（３０）と共に同時に移動する、請求項１〜７のいずれか一項に記載のルーフボックス。
【請求項９】
前記細長い作動要素（３０）は、ロッドのような剛体要素であるか、またはワイヤのような可撓性要素、もしくは平坦な細長い作動要素（３０）である、請求項１〜８のいずれか一項に記載のルーフボックス。
【請求項１０】
前記第１および第２ロック要素（４０）は、回転および／または並進移動接続部を通じて前記細長い作動要素（３０）に対して移動可能に接続された、請求項１〜９のいずれか一項に記載のルーフボックス。
【請求項１１】
前記第１および／または前記第２ロック要素（４０）は、ガイドトラック（５０）および突起（５１）を通じて前記細長い作動要素（３０）に接続されて、前記ガイドトラック（５０）は、前記突起（５１）が前記細長い作動要素（３０）に対して好適に３〜４０ｍｍ、より好適に５〜３０ｍｍの限定された距離だけ移動することを許容しており、好適に前記ガイドトラック（５０）は、前記細長い作動要素（３０）に形成された溝または開口部（５０’、５０”）であり、前記突起（５１）は前記ロック要素に形成されており、前記溝または開口部（５０’、５０”）は好適に細長く、３〜４０ｍｍ、好適に５〜３０ｍｍ、より好適に１５〜２５ｍｍの主伸びを有する、請求項１０に記載のルーフボックス。
【請求項１２】
前記ロック位置へは、前記第１ロック要素（４０）および前記第２ロック要素（４０）が順次的に移動可能であり、前記ロック位置は予備ロック位置であり、前記第１ロック要素（４０）および前記第２ロック要素（４０）は、引き続いて順次的にまたは同時に完全ロック位置へと配置されることが可能である、請求項１〜１１のいずれか一項に記載のルーフボックス。
【請求項１３】
少なくとも前記第１ロック要素（４０）は、好適に前記第２ロック要素（４０）もが、予備ロック位置に配置されることが可能であり、前記予備ロック位置において、前記第１ロック要素（４０）は対応したロック部材（４１）と係合し、ならびに／または前記第１ロック要素（４０）および／もしくは前記第２ロック要素（４０）は、引き続いて完全ロック位置に配置されることが可能であり、当該完全ロック位置において、前記第１および／もしくは第２ロック要素（４０）の移動は、前記細長い作動要素（３０）により防止され、ならびに／または前記ロック手段（１０）は、少なくとも１つのロック要素ブロック部材（７０）をさらに具備し、該ロック要素ブロック部材（７０）は、展開位置にある場合に、前記第１ロック要素（４０）が前記ロック位置に到達することを一時的に阻止するように配置されている、請求項１〜１２のいずれか一項に記載のルーフボックス。
【請求項１４】
前記アクチュエータ（２１）は移動可能な指示器（６０）を形成しているか、または具備しており、前記移動可能な指示器（６０）は前記細長い作動要素（３０）に配置されて、これにより前記移動可能な指示器（６０）は、前記細長い作動要素（３０）の移動機能として移動される、請求項１〜１３のいずれか一項に記載のルーフボックス。
【請求項１５】
前記第１および第２ロック要素（４０）は、前記細長い作動要素（３０）に直接接続されており、好適に前記第１および第２ロック要素（４０）は、前記細長い作動要素（３０）に対して移動可能に接続されており、および／または前記第１および第２ロック要素（４０）は、前記細長い作動要素（３０）の伸びの方向に対応した方向に、もしくは略対応した方向に移動可能である、請求項１〜１４のいずれか一項に記載のルーフボックス。
【請求項１６】
前記アクチュエータ（２１）は、前記アクチュエータをロックおよび／またはロック解除するための鍵（６３）を具備し、該鍵（６３）は、すべての前記ロック要素（４０）がロック位置にある場合にのみ取り外し可能である、請求項１〜１５のいずれか一項に記載のルーフボックス。
【請求項１７】
ロック手段（１０）を具備した、請求項１〜１６のいずれか一項に記載のルーフボックスをロックおよびロック解除するための方法であって、該方法は、
−  前記アクチュエータ（２１）を使用した並進により前記細長い作動要素（３０）を移動させ、前記第１および第２ロック要素（４０）をロック解除するステップと；
−  前記ロック要素（４０）を順次的に前記ロック位置に戻すステップと；
−  最後の前記ロック要素（４０）と共に、前記細長い作動要素（３０）をロック位置に戻し、好適に前記ロック要素を前記細長い作動要素（３０）の伸びの方向に移動させるステップと；
を含んだ方法。
【発明の詳細な説明】
【技術分野】
【０００１】
本発明は、少なくとも２つの個別のロック部位を含んだロック手段を備え、ロック手段の各ロック部位の逐次的なロックを可能にした、自動車のためのロードキャリア、特に自動車に搭載可能なロードキャリアに関する。
【背景技術】
【０００２】
自動車のためのロードキャリア、特に自動車のためのルーフボックスは広く使用されて、自動車への荷物積載能力を増強させている。自動車のためのルーフボックスは、それらが他には使用されない自動車の空間を使用するので、特に役に立つ。
【０００３】
ルーフボックスは、一般的に基部およびロック可能な蓋、ならびに非常に頻繁に細長い形状を備え、比較的低い風の抵抗を有する良好な容積を提供している。ルーフボックスの細長い形状により、ロック手段は特別な要求に直面する。複数のロック部位において蓋をロックし、基部に対して安全な様式で効果的に蓋を保持することが望まれる。さらに、ルーフボックスは、一般的に繊維強化複合材料のような軽量の材料から製造されている。そのような材料は強固且つ頑丈であるが、特に大型の部品が使用された場合、わずかな可撓性しか示さない。
【０００４】
安全の観点から、使用者が自動車を運転する前に、ルーフボックスが正確にロックされることが非常に重要である。不十分にロックされたルーフボックスは、動作の際に突発的に開く危険性が存在し得る。不十分にロックされたルーフボックスは、事故の場合に突発的に開くかもしれないといったさらに高い危険性がある。
【０００５】
ルーフボックスのための３つのロック部位を備えた１つのロックシステムが、特許文献１に開示されている。ロック部位はスライドバーを介して相互接続されており、個別のロック部位を操作して、同時に開放および閉鎖可能にしている。同様に、特許文献２は、全体的に駆動バーとして参照される回転可能なロッドを備えた類似の解決策を開示しており、そのロッドは３つのラッチアセンブリの間の回転的な接続を提供している。
【先行技術文献】
【特許文献】
【０００６】
【特許文献１】欧州特許出願公開第２  ３２２  ３８２号明細書
【特許文献２】米国特許出願公開第２０１２／０１１８９２６号明細書
【特許文献３】独国実用新案登録出願第２０２  ０９  ７８６号明細書
【発明の概要】
【発明が解決しようとする課題】
【０００７】
しかしながら、前述の解決策は欠点を有する。それらの解決策は、正確にロックされたように見える一方で、ロックボルトまたは対応した嵌合部と完全に嵌合しないことがあるロックピンが、依然として存在しており、したがって不十分なロックとなり得るロック手段を提供する。さらに、使用者は、ロック手段が正確にロックされたかどうかの限定された情報のみを得る。
【０００８】
良好なロック手段は、ロックが容易なことだけではなく、正確なロックが容易であるべきである。ロック手段が正確にロックされたかどうかの明確且つ信頼性の高い指標が存在するべきである。良好なロックシステムはさらに、使用を意図される特定のロードキャリアへの適合可能性の観点において、柔軟であるべきである。
【０００９】
特許文献３は、請求項1の前段によるロードキャリアを開示している。
【課題を解決するための手段】
【００１０】
本発明の目的は、前述の欠点の解決策を提供すること、または前述の欠点を少なくとも減少すること、もしくは役に立つ代替案を提供することである。目的は、基部および蓋を具備したロードキャリアに少なくとも部分的に適合させることである。ロードキャリアは、基部および／または蓋に配置されて、蓋を基部にロックするためのロック手段を具備している。ロック手段は、互いから所定の距離だけ離れて配置され且つロック位置とロック解除位置との間を動作可能な、少なくとも第１および第２の移動可能なロック要素を具備している。第１および第２ロック要素は、ロック位置に配置された場合、相手側の基部または蓋に配置された第１および第２ロック部材とそれぞれ係合するように配置されている。ロック手段は、第１および第２ロック要素と協働して作動する細長い作動要素をさらに具備している。アクチュエータが配置されて、細長い作動要素をロック位置から第１位置へと移動させ、それにより第１および第２ロック要素をロック位置からロック解除位置へと移動させる。第１ロック要素および第２ロック要素は、細長い作動要素に接続され、これによりそれらは、ロック解除位置からロック位置へと順次的に移動することが可能である。
【００１１】
第１ロック要素および第２ロック要素が順次的に移動され得るロック位置は、予備ロック位置であってよく、第１ロック要素および第２ロック要素は、順次的にまたは同時に、完全ロック位置に引き続き配置され得る。
【００１２】
本発明のロードキャリアは、改良されたロック手段を備えたロードキャリアを提供している。好適にロードキャリアは、ルーフキャリアまたはそれに類似したような、自動車に搭載可能なロードキャリアである。ロック手段は、正確なロックを容易にする観点から強固である。蓋は、例えば使用者が片手のみを使用して押し下げることが可能であり、各ロックの同時のロックを必要としない。個別のロック要素は予備ロック位置に配置されて、残りのロック要素が押されて対応したロック部材と係合した場合に、個別のロック要素が完全にロックされることを許容することが可能である。
【００１３】
ロードキャリアには３つ、４つ、５つ、またはそれ以上のような、２つ以上のロック要素が設けられ、それらのロック要素は細長い作動要素と協働する。
【００１４】
第１ロック要素は好適に回転、または並進、もしくはそれらの組み合わせにより移動して、細長い作動要素の移動無しに第１ロック部材と係合し得る。好適に第１ロック要素は、所定の距離および／または所定の角度だけ移動し得る。各ロック要素は細長い作動要素、すなわち接続要素に対して限定された自由度を有し得る。このことは、ロック要素が細長い作動要素に対して限定された距離だけ移動されることを許容している。限定された距離は、細長い作動要素内に形成された細長い開口部の長さによって、または例えばガイドトラックの長さによって決定され得る。
【００１５】
第２ロック要素は、ロック位置へと戻る移動から、細長い作動要素を保持する。第１ロック要素が、細長い作動要素に対して限定された距離だけ移動した場合に、細長い作動要素は第１位置に有利に保持され、すべてのロック要素が移動して対応したロック部材と係合するまで、ロック位置に戻らない。細長い作動要素は、多様な様式において第１位置に保持され得る。残りのロック要素が細長い作動要素と協働して、第１位置においてまたは中間位置において、細長い作動要素を保持することは、有利であると理解された。
【００１６】
細長い作動要素は、第１および第２ロック要素を、好適に同時にロック位置からロック解除位置へと移動させた後に、第１中間位置に戻り得る。
【００１７】
細長い作動要素および第２ロック要素は、同時にロック位置へと移動することが可能である。第１ロック要素がロック位置へと、または予備ロック位置へと移動した場合、残りの第２ロック要素は、細長い作動要素と共にロック位置へと移動することが可能である。ロック手段が２つより多くのロック要素を具備している場合、最後のロック要素は、細長い作動要素と共にロック位置へと同時に移動する。したがって、細長い作動要素は、すべてのロック要素がすべてのロック部材と係合するまでロック位置に戻らない。
【００１８】
細長い作動要素は、第１および第２ロック要素がロック解除位置へと移動することを防止された、第１固定位置である位置へと移動され得る。細長い作動要素は、この位置において、第１および第２ロック要素がロック位置から移動することを防止している。それは独立して、ロック要素の非順次的ロックを可能にしている。
【００１９】
第１および第２ロック要素は、第１および第２付勢部材により個々のロック位置に向かって個別に付勢されている。各ロック要素は、好適に個々のロック位置に向かって付勢されている。ロック要素がロック解除位置へと移動した場合、付勢部材は好適に引っ張られ、これにより付勢力はロック要素に連続的に作用する。前述の通り、第１および第２ロック要素は、ロック位置にある場合に、基部または蓋の相手側に配置された第１および第２ロック部材と個々に係合するように配置されている。
【００２０】
第１および第２ロック要素は第１中心軸に沿って伸びてもよく、第１中心軸は細長い作動要素と平行である。細長い作動要素の移動の方向は、好適に少なくとも第１中心軸を備えた細長い作動要素の一部に沿って平行である。同じ中心軸に平行にそれらを移動させることにより、小さい空間を必要とする比較的薄いロック手段を提供している。ロック手段はロードキャリアの内側に配置され得るので、空間は全体的に貴重である。
【００２１】
第１および第２ロック要素は、ロック位置からロック解除位置へと、細長い作動要素と共に同時に移動され得る。したがって、すべてのロック要素は、一体に且つ同時にロック解除されることが可能である。
【００２２】
細長い作動要素は、多様な材料から製造され得る。それは、ロッドのような剛体要素、またはワイヤのような可撓性要素であってよい。細長い作動要素は、好適に平坦な細長い作動要素であり、並進を許容する、すなわち長手方向において安定的に形成されているが、曲げることが可能であるという観点から、幾分可撓性を有する材料から好適に形成されている。このことは、細長い作動要素が、例えばロードキャリアの湾曲した側壁に沿ったような、例えばロードキャリアの内部に沿って形成されることを可能にしている。適切な平坦な細長い作動要素は、１〜３ｍｍの厚さ、５〜５０ｍｍの幅、および５００〜３０００ｍｍの長さである。
【００２３】
細長い作動要素は並進移動により移動する。移動は、好適に細長い作動要素の長手方向における細長い作動要素の並進によって作用される。
【００２４】
第１および第２ロック要素が細長い作動要素に移動可能に接続された場合、好適にすべてのロック要素が細長い作動要素に移動可能に接続された場合に、利点が見いだされた。ロック要素は、接続部を介して細長い作動要素に好適に接続されており、接続部は、細長い作動要素がロック要素を作動することを許容しているが、各ロック要素が細長い作動要素に対して移動され、好適に並進されることをさらに許容している。
【００２５】
第１および／または第２ロック要素は、ガイドトラックおよび突起のようなガイドトラック協働要素を介して細長い作動要素に接続されてもよい。ガイドトラックは、ガイドトラック協働要素が、細長い作動要素に対して限定された距離だけ移動することを許容している。限定された距離は好適に３〜４０ｍｍ、より好適に５〜３０ｍｍである。限定された距離は、細長い要素および細長い要素の縦の伸びと好適に略平行または平行である。
【００２６】
ガイドトラックは、細長い作動要素に形成された溝または開口部とし得る。突起は、ロック要素に形成され得る。溝および／または開口部は好適に細長く、３〜４０ｍｍ、好適に５〜３０ｍｍ、より好適に１５〜２５ｍｍの主伸びを有する。
【００２７】
細長い作動要素は、ハウジングの内側の少なくとも第１ロック要素と第２ロック要素との間に伸びている。細長い作動要素は保護ハウジングの内側に位置し、細長い作動要素がロードキャリアによって運搬される任意の荷物に引っ掛かることを防止している。そのようなハウジングは、例えばロック要素のための支持を構造的に提供するためにも使用され得る。
【００２８】
ハウジングは開口部、好適に細長い開口部を具備してもよく、第１および第２ロック要素は、その開口部を通じて細長い作動要素と係合している。開口部の数は、細長い作動要素に形成されたガイドトラックの数または開口部の数に好適に一致している。ハウジングの細長い開口部の伸びは、細長い作動要素の溝または開口部の主伸びに略一致している。
【００２９】
少なくとも第１ロック要素は、好適に第２ロック要素も、予備ロック位置に配置され得る。予備ロック位置において、第１ロック要素および／または第２ロック要素は、対応したロック部材と係合する。予備ロック位置において、ロードキャリアの蓋はベースに保持されているが、そこに完全にはロックされていない。このことは、使用者が容易に蓋をロックし、続いて残りのロック要素が対応したロック部材と係合するまで、ロック要素を係合することを可能にしている。
【００３０】
第１ロック要素および／または第２ロック要素は、続いて完全ロック位置に配置され得る。その位置において、第１および／または第２ロック要素は、細長い作動要素により移動を防止される。したがって、細長い作動要素は、すべてのロック要素に対するロックとして機能し、それらがロック位置からロック解除位置へと移動されることを防止するように機能することが可能である。したがって、第１および／または第２ロック要素は、予備ロック位置におよび完全ロック位置に配置され得ることが理解されるべきである。
【００３１】
アクチュエータが、アクチュエータをロック／ロック解除するための鍵を含んでいる場合、すべてのロックがロックされている場合、すなわちすべてのロック要素が完全ロック位置にまたはロック位置にある場合にのみ、鍵は取り外し可能である。随意的に、細長い作動要素がロック位置にある場合にのみ、鍵は取り外し可能であり、すなわちロック位置からロック解除位置へのロック要素の移動を防止している。
【００３２】
ロック手段は、少なくとも１つのロック要素ブロック部材をさらに具備し得る。ロック要素ブロック部材は、展開位置にある場合に、第１ロック要素がロック位置に到達することを一時的に阻害するように配置されている。各ロック要素には、対応したロック要素ブロック部材が設けられている。予備ロック位置に配置されたロック要素は、すべてのロック要素ブロック部材が押し下げられた場合に、ロック位置に配置されることが可能である。１つのみのロック要素がロック位置へと移動されない場合、鍵は取り外し可能にならない。
【００３３】
ロック要素ブロック部材は、付勢部材によって展開位置に向かって付勢され得る。述べられた付勢部材は、蓋を開方向に押すように適合された力をロック要素ブロック部材に与えるように配置され得る。ロック要素ブロック部材は、蓋を閉じた場合に、ロック部材と係合するように好適に配置されている。ロック要素ブロック部材はロック部材を付勢して、それにより蓋を開放するように形成され得る。したがって、蓋がロック解除された場合に、少なくとも所定の距離だけ蓋が上向きに押されて、使用者が残りの距離だけ蓋を開くために蓋の周囲を握り得るという観点から、蓋は自己開放であり得る。
【００３４】
ロック手段ならびに好適に第１および第２ロック要素は、蓋ヒンジ手段の一部を形成して、蓋を基部に回転可能に接続し、２つの異なった側から蓋が開放されることを可能にしてもよい。したがって、蓋は、互いに平行に配置された２つの異なった回転軸の周囲を回転するように形成されてもよい。
【００３５】
前述のとおり、ロック手段は、ロック位置から第１位置へと細長い作動要素を移動させるように配置されたアクチュエータを具備し、それにより第１および第２ロック要素をロック位置からロック解除位置へと移動させる。アクチュエータは、移動可能な表示器を形成し得るか、または具備し得る。移動可能な表示器は、細長い作動要素に配置され、これにより移動可能な表示器は、細長い作動要素の移動に応じて移動され得る。このことは、ロック要素の状態を特定するために使用可能である。したがって、使用者は、蓋が基部に対して正確にロックされたか否かを知り得る。ここに開示されたアクチュエータが、ここに開示されたロック手段とは別個に使用され得ることが理解されるべきである。これにより、アクチュエータおよび部品、ならびにアクチュエータに関連した特徴は、他のロック手段と共に使用され得る。
【００３６】
アクチュエータは、第１回転軸の周りに回転可能とされ得る。第１回転軸は、細長い作動要素に略直交して配置され得る。回転可能なアクチュエータに替えて、移動はスライド可能なハンドル、またはそれに類似したもののような並進アクチュエータにより、実行され得る。
【００３７】
アクチュエータは、歯車を介して細長い作動要素に回転可能に連結され得る。
【００３８】
アクチュエータは、鍵を介して動作可能なキーシリンダを具備し得る。キーシリンダは、歯車に連結され得る。したがって、鍵の回転動作は歯車に伝達され得る。細長い作動要素には、歯車と協働して作動するように配置されるように形成されたカムトラックが設けられ得る。
【００３９】
アクチュエータは、突出支持部材のような、少なくとも１つの鍵受容部を具備し得る。少なくとも１つの突出支持部材は、鍵に対する構造的支持部を設けるように配置されて、少なくとも１つの突出支持部材の回転により、好適にキーシリンダ内での鍵の回転を可能にし得る。このことは、使用者が鍵を回転させてロック手段をロック解除した場合に、鍵の突発的な破壊を防止することを補助し得る。
【００４０】
ロック手段は少なくとも１つのロック要素ブロック部材を具備してもよく、この部材は、対応したロック要素がロック解除位置からロック位置へと、および／または予備ロック位置へと移動することを防止するように形成されている。少なくとも１つのロック要素ブロック部材は、蓋にまたは対向した基部もしくは蓋に配置された、対応したロック部材により移動されるように構成されている。
【００４１】
ここに記載されたロードキャリアは、使用者がロードキャリアの蓋を片手のみを使用して閉じることが可能であるという観点から、良好な人間工学的特性を提供している。それはさらに、使用者に視覚的、潜在的、および／または可聴的フィードバックを提供し得る。それはさらに、使用者が蓋を基部にロックする場合に、使用者に視覚的、潜在的、および／または可聴的フィードバックを連続して提供し得る。例えば、各ロック要素が対応したロック部材と係合する場合に、使用者はクリックの反応を獲得し得る。
【００４２】
ロック手段はモジュール式且つ対称であり、例えばロードキャリア内に左右対称に組み付けられ得る。このことは、同じロック手段がロードキャリアの内部の左または右の位置に単独で使用可能であるので、より安価な製造コストとすることが可能となり得る。
【００４３】
本発明の非限定的な実施形態が、添付図を参照してより詳細に記載される。
【図面の簡単な説明】
【００４４】
【図１】２つのロック手段を具備したルーフボックス形式のロードキャリアを示した図である。
【図２ａ】ルーフボックスを除いたロック手段を示した図である。
【図２ｂ】ここに開示されたロック手段の原理を示した図である。
【図２ｃ】ここに開示されたロック手段の原理を示した図である。
【図２ｄ】ここに開示されたロック手段の原理を示した図である。
【図２ｅ】ここに開示されたロック手段の原理を示した図である。
【図２ｆ】ここに開示されたロック手段の原理を示した図である。
【図２ｇ】ここに開示されたロック手段の原理を示した図である。
【図３】図２ａのロック手段を示した斜視図である。
【図４】第２ロック部位をより詳細に示した部分的な分解図である。
【図５】第１ロック部位をより詳細に示した部分的な分解図である。
【図６】図５に示された第１ロック部位であるが、ロック手段の下部を向いた方向から示した斜視図である。
【図７】第２ロック部位が開位置および閉位置、すなわちロック位置、ロック解除位置、および再度のロック位置にある場合の、第２ロック部位をより詳細に且つ異なった位置から示した図である。
【図８】第２ロック部位が開位置および閉位置、すなわちロック位置、ロック解除位置、および再度のロック位置にある場合の、第２ロック部位をより詳細に且つ異なった位置から示した図である。
【図９】第２ロック部位が開位置および閉位置、すなわちロック位置、ロック解除位置、および再度のロック位置にある場合の、第２ロック部位をより詳細に且つ異なった位置から示した図である。
【図１０】第２ロック部位が開位置および閉位置、すなわちロック位置、ロック解除位置、および再度のロック位置にある場合の、第２ロック部位をより詳細に且つ異なった位置から示した図である。
【図１１】第２ロック部位が開位置および閉位置、すなわちロック位置、ロック解除位置、および再度のロック位置にある場合の、第２ロック部位をより詳細に且つ異なった位置から示した図である。
【図１２】第２ロック部位が開位置および閉位置、すなわちロック位置、ロック解除位置、および再度のロック位置にある場合の、第２ロック部位をより詳細に且つ異なった位置から示した図である。
【図１３】第２ロック部位が開位置および閉位置、すなわちロック位置、ロック解除位置、および再度のロック位置にある場合の、第２ロック部位をより詳細に且つ異なった位置から示した図である。
【図１４ａ】閉じる工程の間のロック部位の要素をより詳細に示した図である。
【図１４ｂ】閉じる工程の間のロック部位の要素をより詳細に示した図である。
【図１４ｃ】閉じる工程の間のロック部位の要素をより詳細に示した図である。
【図１４ｄ】閉じる工程の間のロック部位の要素をより詳細に示した図である。
【図１４ｅ】閉じる工程の間のロック部位の要素をより詳細に示した図である。
【図１４ｆ】閉じる工程の間のロック部位の要素をより詳細に示した図である。
【図１４ｇ】閉じる工程の間のロック部位の要素をより詳細に示した図である。
【図１４ｈ】閉じる工程の間のロック部位の要素をより詳細に示した図である。
【図１５ａ】ロック要素、ロック要素ブロック部材、および蓋部材を、それらの協働を図示するために、多様な位置から示した図である。
【図１５ｂ】ロック要素、ロック要素ブロック部材、および蓋部材を、それらの協働を図示するために、多様な位置から示した図である。
【図１５ｃ】ロック要素、ロック要素ブロック部材、および蓋部材を、それらの協働を図示するために、多様な位置から示した図である。
【図１５ｄ】ロック要素、ロック要素ブロック部材、および蓋部材を、それらの協働を図示するために、多様な位置から示した図である。
【図１５ｅ】ロック要素、ロック要素ブロック部材、および蓋部材を、それらの協働を図示するために、多様な位置から示した図である。
【発明を実施するための形態】
【００４５】
図１は、ルーフボックス２の形態のロードキャリア１を示している。ルーフボックス２は、従来の手段により自動車（図示略）のルーフに取り付けられるように構成されている。ルーフボックス２は、基部３および蓋４を具備している。蓋４は、回転手段５を通じて基礎部材に取り付けられている。回転手段は、蓋４が、図１に示されたような開位置と閉位置（図示略）との間を回転することを可能にしている。ロードキャリア１には、別の蓋取り付けシステムが設けられることが可能であり、蓋４は、例えば基部３に対してスライド可能に連結され得るか、または単に被せられているだけとされ得ることが理解されるべきである。しかしながら、回転手段が好適である。
【００４６】
ロードキャリア１は、少なくとも１つのロック手段１０を具備している。しかしながら、ロードキャリア１には、２つ以上のロック手段１０が設けられ得る。図示された実施形態においては、図１を参照して記載されたロードキャリア１は、第１ロック手段１０および第２ロック手段１１を備えている。ロック手段１０、１１は、それらが、蓋４が二方向から開放されることを可能にしているという意味で、協働している。そのような手段は、蓋ヒンジ手段としても参照されている。蓋４は、第１および第２回転軸の周りに、基部３の第１および第２長手側に沿って回転して開くことが可能である。第１および第２ロック手段１０、１１は、図１の実施形態に示されたように同じ種類であってよいが、本発明の境界の範囲内では、ロードキャリア１は第１ロック手段１０、および異なった種類の別の回転手段またはロック手段を具備していることに、注目されるべきである。第１および第２ロック手段１０、１１は、基部３および蓋４の側壁上に配置され、基部３および蓋４を回転可能に連結している。
【００４７】
図２ａは、第１ロック手段１０をより詳細に示している。第１ロック手段１０は、第１、第２、および第３ロック部位１５、１６、１７を具備している。各ロック手段１０、１１には、３、４、５、６、７、８、９、またはそれ以上のロック部位のような、２つ以上のロック部位が設けられ得る。ロック部位は、対応したロック部材と共同してロックに寄与するロック要素を備えていると、一般的に認識されている。
【００４８】
第１ロック部位１５は、アクチュエータ２１の形式の動作機構２０を具備している。アクチュエータ２１は、使用者がロック手段１０を操作し、蓋４をロック解除して、ロードキャリア１の内部へのアクセスを許容することを可能にするように設けられている。各ロック部位１５、１６、１７は連続的にロックされ、および／または少なくとも連続的に予備ロック位置に配置されている。ロック手段１０、１１、または１つのみしか存在しない場合、その１つのロック手段は、基部３ではなく蓋４に配置されることが可能であることが理解されるべきである。
【００４９】
本発明によるロック手段の作動原理は、図２ｂ〜図２ｇを参照して一般的な用語において記載される。図２ｂはロック部位１５、１６、１７を示しており、各々がロック要素４０およびロック部材４１を具備して、ロック位置にある。すべてのロック部位は、この位置においてロックされており、基部３および蓋４を保持している。ロック部位はロック要素４０およびロック部材４１を具備し、それらは、ロックされた場合に、保持する態様において互いに係合するように形成されている。これらの構成は、以下により詳細に記載されている。ロック要素４０およびロック部材４１は、基部３および蓋４のためのヒンジ手段を随意的に形成し得るが、本発明の目的に関しては、それは必要ではない。
【００５０】
図２ｃは、ロック部位１５、１６、１７のロック解除、すなわちロック要素４０およびロック部材４１を同時に係合解除したことを示している。蓋４は、図２ｄにおいて矢印により示されたように、ここでは開放可能である。蓋４が閉じられた場合、ロック要素はロック位置に逐次配置され得る。図２ｅにおいて、ロック位置は予備ロック位置であり、それはロック要素４０がロック部材４１と完全に係合していないことにより、視覚化されている。
【００５１】
図２ｆにおいて、別のロック部位、この場合第１ロック部位１５の別のロック要素が、予備ロック位置に移動されている。理解され得るように、最後のロック要素はまだロック解除されており、ロック部材４１とは全く係合していない。使用者が最後のロック部材４１を押下した場合、他のロック部位の他のロック要素４０と一体となって、そのロック部位のロック要素４０は、図２ｇに示されたような、完全ロック位置へと同時に移動される。ロック要素４０は、例えば以下に詳細に示されたような駆動バーのような作動要素を通じて操作される。しかしながら、この操作は、他の方法により実行され得る。
【００５２】
図３は、図２ａをより詳細に斜視図により示している。図３は、第１ロック手段１０、第１、第２、および第３ロック部位１５、１６、１７、ならびにアクチュエータ２１を示している。図３は、細長い作動要素３０または作動バー３０も示している。細長い作動要素３０は、この場合平坦な細長い作動要素３１であり、好適に幾分かの可撓性を有し、細長い作動要素３０がわずかに湾曲することを許容している。図３から理解可能であるように、細長い作動要素３０はわずかに湾曲されており、ロードキャリア１の基部３の湾曲形状を補っている。細長い作動要素３０は、第１、第２、および第３ロック部位１５、１６、１７を一体に連結しており、アクチュエータ２１が各ロック部位１５、１６、１７を操作することを可能にしている。アクチュエータ２１が作動すると、第１、第２、および第３ロック部位１５、１６、１７の各々は、例えばロック解除可能である。細長い作動要素３０は、ハウジング３２を介して基部３の内部に移動可能に取り付けられ、この場合スライド可能に取り付けられている。ハウジング３２はこの場合わずかに湾曲されて、基部３の輪郭に沿っている。
【００５３】
ロック手段１０の個別の部品は、ここではより詳細には記載されない。
【００５４】
図４は、第２ロック部位１６をより詳細に示している。第２ロック部位１６および第３ロック部位１７は、機能および構造において同一であり、一方で第１ロック部位１５は、アクチュエータ２１がさらに設けられている観点において異なっている。第１、第２、および第３ロック部位１５、１６、１７のようなロック部位は、ロック要素４０を具備している。ロック要素４０は、蓋４に配置された協働するロック部材４１（図１に示されている）と係合または嵌合するように形成されている。ロック要素４０は、ロック位置とロック解除位置との間を移動可能である。ロック位置において、ロック要素４０は、蓋４のロック部材４１と完全に係合している。以下に記載されたように、ロック要素４０は、さらに予備ロック位置に配置されることが可能である。
【００５５】
ロック要素４０は、この場合ピン４３の形状の係合部４２を具備している。基部３への蓋４のロックは、この場合ロック要素４０のピン４３がロック部材４１に配置された開口部４４と嵌合する。ピン４３を備える代わりに、係合部はフックまたはそれに類似したものとすることが可能である。ロック要素４０は、細長い作動要素３０と同じ方向にまたは少なくとも略同じ方向に移動させられ、ロック解除位置へと平行移動し、これは以下により詳細に記載されている。
【００５６】
付勢部材４６は、ロック要素４０をロック位置に向かって、この場合図４に示された視点では左に向かって付勢している。付勢部材４６は、図４に示されたようにつる巻きバネとすることが可能であるが、板バネ、ゴム部材またはそれに類似したもののような弾性部材等の、他の付勢部材とすることが可能である。ロック要素４０に押圧力をかけるのではなく、反対側の位置に付勢部材を配置して、付勢部材が引張力をかけることによりロック要素４０をロック位置に向かって付勢し得るようにすることも可能である。
【００５７】
注目されたように、ロック要素４０は、ロックハウジング４７内にスライド可能に配置されている。ロックハウジング４７は、ガイドトラック４８をロック要素４０に提供している。ガイドトラック４８は、ロック要素４０のための所定のトラックを提供し、ロック要素が所定のトラックに沿ってスライドすることを許容し、これによりロック要素４０はロック部材４１と正確に係合することが可能である。ロックハウジング４７は付勢部材支持面４９を具備し、この面に対して、ロック要素４０を付勢した場合に、付勢部材４６は静止することが可能である。
【００５８】
ロック要素４０は、第１中心軸Ａ１に沿って伸びた主伸びを有する。係合部４２はこの場合ピン４３であり、第２中心軸Ａ２に沿って伸びた主伸びを有する。注目されたように、第１中心軸Ａ１は細長い作動要素３０と平行、または細長い作動要素３０と略平行である。
【００５９】
ロック要素４０は、細長い作動要素３０に移動可能に接続されている。ロック要素４０は、細長い作動要素３０に対して有限の角度の自由度を有し、これにより細長い作動要素は、ロック要素４０に対して有限の距離だけ移動可能であり、または図示された実施形態においては平行移動可能である。有限の移動は、細長い作動要素３０に配置された少なくとも１つのガイドトラック５０およびロック要素４０に配置された少なくとも１つの突起５１を介して可能とされている。図示された実施形態においては、ロック要素４０には、２つの突起５１が設けられ、細長い作動要素３０には、細長い開口部５０’、５０”が設けられている。この場合２つの開口部である２つのガイドトラックと協働する２つの突起は、ロック要素４０および細長い作動要素３０の移動に安定性を提供している。
【００６０】
図５は、第１ロック部位１５をより詳細に示した分解図である。図７は、図６の第１ロック部位１５の分解図を示しており、その機構のいくつかをより良好に示した下からの視点で示している。図６はロック要素４０、ロードキャリアの蓋（図示略）に取り付けられたロック部材４１、ロックハウジング４７、細長い作動要素３０、および細長い作動要素３０を覆うように形成されたハウジング３２を示している。図６は、動作機構２０も示している。動作機構またはアクチュエータ２１は、述べられたように、使用者が関連したロック手段を操作することが可能であるように設けられている。アクチュエータ２１は回転可能ハンドル６０を具備し、その回転により細長い作動要素３０は関連した各々のロック要素４０を移動させる。
【００６１】
位置表示ディスク６１は回転可能ハンドル６０の後方に配置され、細長い作動要素３０と共に細長い作動要素３０に関連したロック要素４０の位置を参照する機能を備えている。位置表示ディスク６１は、図示された実施形態においては回転可能ではなく、ロック手段１０に固定的に配置されている。
【００６２】
回転可能ハンドル６０にさらに関連して、このハンドルは鍵６３を介して操作可能なロックシリンダ６２である。回転可能ハンドル６０は、ロックシリンダ６２内に挿入された後に鍵６３と係合するように構成された鍵係合要素６４を具備している。したがって、回転可能ハンドル６０を回転させた場合、鍵６３も回転される。このことは、使用者が鍵を誤って破壊することに対する保護に寄与している。鍵係合要素６４は、図示された実施形態においては突出スロットにより提供され、その内部に鍵６３が挿入可能である。有利な特徴は、すべてのロック要素がロック部材に完全に係合されるまで、または細長い作動要素３０が原位置に戻る前に、鍵６３はロックシリンダ６２から抜き取られることが不可能なことである。
【００６３】
回転可能ハンドル６０に関連して図６を参照すると、このハンドルはトルク転換手段６５でもある。トルク転換手段は、回転可能ハンドル６０の回転動作を、細長い作動要素３０を移動させる並進動作に転換する。トルク転換手段６５は、図示された実施形態においては、歯車６６およびカムトラック６７を具備している。回転可能ハンドル６０の回転は歯車６６に伝達されて、カムトラック６７を移動させる。カムトラック６７は、続いて細長い作動要素３０に間接的に接続されており、したがって、その並進を細長い作動要素３０に伝達する。
【００６４】
付勢部材はカムトラック６７に作用して、カムトラック６７、ひいては細長い作動要素３０をロック位置に向かって付勢する。したがって、細長い作動要素３０は、ロック位置に向かって戻ろうとする。
【００６５】
ロック手段１０の機能および動作は、これ以降により詳細に記載される。図７は、ロック手段１０の一部をより詳細に示しており、より具体的には第２ロック部位１６である。使用者がアクチュエータ２１を回転させた場合、細長い作動要素３０は右側へ並進を開始し、ひいては矢印により示された移動方向に沿って移動する。アクチュエータ２１の回転動作は、水平方向において細長い作動要素３０を並進させる。
【００６６】
細長い作動要素３０を覆ったハウジング３２は、保護シートとして機能し、図７〜図１３においては、ロック要素４０の移動をより良好に視覚化するために、透明として示されている。ハウジング３０は選択的なものであり、細長い作動要素３０は、所望された場合に、ロードキャリアの内部に同様に露出され得ることが理解されるべきである。
【００６７】
図８において、細長い作動要素３０は、細長い作動要素３０の細長い開口部５０’、５０”により定義された距離を移動させられている。細長い作動要素３０は、ロック要素４０の突起５１の周りを把持し、蓋４（図示略）のロック部材４１との係合からすべてのロック要素４０をほぼ退避させるところである。
【００６８】
図９は、細長い作動要素３０が、係合位置すなわちロック位置から蓋４のロック部材とともにロック要素４０をどのようにして退避させたかを示している。注目され得るように、ロック要素４０のピン４２、およびより正確には係合部４２、この場合ピン４３は、蓋４のロック部材４１から完全に係合解除される。ロック要素４０が、図９に示されたロック解除位置へと退避された場合、ロック部材４１ひいては蓋４は、自由に開放される。有利な選択的特徴は、蓋４がロック要素ブロック部材７０により上向きに付勢された場合である。ロック要素ブロック部材７０は、ロック要素４０が付勢されて、ロック位置に戻ることを回避し、準備位置に滞在させるように形成されている。蓋４がロック部材４１を通じて付勢された場合、蓋４は図９の矢印により示されたように押し開けられる。ロック要素ブロック部材７０が、図９に示されたような退避位置または上昇位置にある場合、ロック要素４０は、ロック位置に戻る移動を阻止されている。ロック要素ブロック部材７０はロック要素４０をブロックする必要はなく、単純に蓋への付勢部材として作動し得ることが理解されるべきである。ロック要素４０は、選択的にまたは付加的に停止ピンによりブロックされ得て、それは例えば図１４ａ〜図１４ｆを参照して記載されている。
【００６９】
図１０は、細長い作動要素３０の細長い開口部５１’、５１”により定義された長さに対応した距離を戻るように移動した後の、細長い作動要素３０を示している。理解され得るように、ロック要素４０は、ここでは一時的に細長い作動要素３０との係合から解除されており、ロック要素ブロック部材７０がロック要素４０の移動を阻止し得ない場合に、蓋のロック部材４１との係合位置へと対応した距離を戻るように移動することが可能である。細長い作動要素３０が、ロック要素４０に対する相対移動をある程度許容しているために、各ロック要素４０は、ロック位置および／または予備ロック位置へと戻るように個別に移動することが可能である。
【００７０】
図１１は、下方に押下されて、ロック要素ブロック部材７０と係合した、すなわち使用者が（図１に示された）ロードキャリア１の蓋４を閉じている状態にある、蓋４のロック部材４１を示している。注目され得るように、ロック要素ブロック部材７０は、図１０に示されたブロック位置から移動され、ロック要素４０が蓋４のロック部材との係合状態に自動的に跳ね戻ることを許容している。付勢部材４６（図４に示されている）は、図１１には示されていないことに注目されるべきである。しかしながら、図１１において、ロック要素４０はロック部材４１と完全には係合しておらず、細長い作動要素３０により完全係合を制限されている。ロック要素の突起は、細長い作動要素の細長い開口部の終端により停止させられている。ロック要素は、この予備ロック位置においては蓋のロック部材を保持しているが、蓋のロック部材と完全には未だ係合していない。したがって、蓋のロック部材は、ロック要素ブロック部材から除去または係合解除されることを防止しているが、ロックは完全にはロックされていない。
【００７１】
理解され得るように、３つのロック要素４０のうちの２つが図１１に示されたように配置された場合、第３ロック要素４０は図１０に示されたように配置され、したがって細長い作動要素３０を、さらに左に移動されるように保持している。
【００７２】
実際に、使用者は（図１に示された）蓋４を片手で且つ各ロック部位を選択的に予備ロックして閉じることが可能である。それは、各ロック部位の順次的ロックを許容している。ロック手段は、蓋が蓋の表面全体に均一に押圧されて、ロック要素が対応したロック部材と係合することを必要としていない。
【００７３】
図１２は、部分的に透明な蓋のロック部材４１を示している。最後のロック要素ブロック部材７０が蓋のロック部材４１により下方に移動させられた場合、最後のロック要素４０はロック要素ブロック部材７０と自由に係合し、これにより予備ロック位置に停止することなく直接ロック位置へと向かう。次に、細長い作動要素３０は左に向かって自由に移動し、これにより第３および最後のロック要素４０は、ロック位置へと移動することが可能である。ロック要素４０は、ここでは蓋のロック部材４１と完全に係合している。
【００７４】
図１３は、細長い作動要素３０が、元の始点であるロック位置に戻り、その位置において細長い作動要素３０が、各ロック要素４０がロック位置からロック解除位置に向かって移動することを防止していることを示している。したがって、細長い作動要素３０は、ロック要素保持器として作動し、ロック要素４０が蓋４のロック部材４１と係合解除することを保持している。
【００７５】
図１４ａ〜図１４ｈを参照すると、ロック安全機能が、ロック手段のロック部位の要素に関連してより詳細に記載されている。
【００７６】
図１４ａを参照すると、ロック安全機能は、使用者が誤ってまたは意図的にロック要素ブロック部材７０を押下することを防止しており、これによりロック要素４０は阻害位置に配置され、ロック部材４１がロック要素４０と係合すること、これにより蓋が相応に閉じられることを防止するように構成されている。ロック安全機能は、ロック要素ブロック部材７０上に、それ自身に、またはその近傍に配置された停止ピン８０により提供されている。図示された実施形態においては、停止ピン８０はロック要素ブロック部材７０上に配置され、ロック要素ブロック部材７０と同期して垂直方向に移動可能である。
【００７７】
ロックピン８０は、この場合ロック要素ブロック部材７０を付勢した付勢部材と同じバネ８１により、起き上がった位置に向かって付勢されている。図１４ａは、蓋（図示略）が開放された場合のロック部位、すなわちロック要素４０および対応した蓋のロック部材４１を示している。ロック要素４０は、ロック要素ブロック部材７０上に静止している。ロック要素４０は、ロック要素ブロック部材７０に接触して静止する、すなわちそこに隣接して配置される多様な面を備えてもよく、この場合、その面はピン４２に配置されているのではなく、ロック要素４０の別の面に配置されている。図１４ｂは、ロック要素ブロック部材７０への接触面をより良好に示した、明確性のためにバネ８１を除いた図１４ａを示している。したがって、それはロック要素４０のスライド部であり、そこには接触面が設けられ、ロック要素ブロック部材７０に隣接して配置されるように形成されている。
【００７８】
図１４ｃはアクチュエータ２１、ロック要素４０、ロック要素ブロック部材７０、ロック部材４１、ロックピン８０、およびバネ８１の部分を示している。ロック要素４０に作用する付勢部材４６も示されている。図１４ａおよび図１４ｂのように、ロック要素ブロック部材７０は、停止ピン８０およびその機能をより良好に見せるために、わずかに透明に示されている。停止ピン８０は図４にも示されている。図１４ｃを参照すると、ロック要素４０は、停止ピン８０と協働するように形成された停止面８２を具備し、それは好適に停止ピン８０の上端と共に示されている。停止ピン８０およびロック要素４０の停止面８２は、使用者が例えば指でロック要素ブロック部材７０を押下した場合であっても、ロック要素４０が阻害位置に移動することを防止している。ロック要素ブロック部材７０および停止ピン８０は同時に移動させられ、停止ピン８０が図９に示されたような閉じ込められた空間内にある場合に、指によりロック要素ブロック部材７０を押下する使用者は、ロック要素ブロック部材７０および停止ピン８０の両方を完全に押下することが不可能である。
【００７９】
図１４ｄにおいて、蓋が閉じられた場合、ロック部材４１は垂直下向き方向に移動する。注目され得るように、ロック部材４１の先端の傾斜面４１’は、ロック要素４０に隣接して配置されている。傾斜面４１’により、ロック要素４０は押し戻されて、図１４ｄおよび図１４ｅに示された視点からみた場合に、ロック部材４１が垂直下向き方向にさらに移動させられることが可能である。それに続いた図１４ｆおよび図１４ｇにおいて、ロック部材４１は完全に下方に押下され、これによりロック要素４０はロック部材４１と嵌合して、蓋は開放したままに保持されることが可能である。
【００８０】
図示された様式において、各ロック部位には、ロック要素４０がロック部材４１を阻害することを防止する保護安全機能が設けられている。その機能は、下方に移動した場合に、ロック要素４０を押し退けることが可能なロック部材４１の傾斜面４１’により達成されているが、ロック要素４０が停止ピン８０により阻害位置に移動させられることを防止することによっても、すなわちロック要素ブロック部材７０によっても達成されている。ロックピン８０およびその機能は、ロック要素ブロック部材７０に対して別個の部材により提供され得るが、停止ピンはロック要素ブロック部材７０の一部により形成されることが好適である。
【００８１】
図１５ａ〜図１５ｄは、ロック要素４０、ロック要素ブロック部材７０、蓋部材４１、および停止ピン８０を、異なった視点からそれらの協働作業について示している。
【００８２】
本発明の目的は、蓋を基部にロックするための、蓋および基部を具備したロードキャリアのためのロック手段を提供することである。ロック手段は、ロック位置とロック解除位置との間を動作可能な、少なくとも移動可能な第１ロック要素、好適に少なくとも第１および第２ロック要素を具備している。第１要素は、ロック位置に位置した場合に、相手側の基部または蓋に配置された第１ロック部材と係合するように配置されている。ロック手段は、少なくとも１つのロック要素ブロック部材をさらに具備し得る。ロック要素ブロック部材は、展開位置にある場合、第１ロック要素がロック位置に到達することを一時的に阻害し、および／またはロック部材を付勢するための押上部材として作動してもよく、したがって、そこに接続された蓋は開位置に向かって押し上げられ、前述の２つの機能のうちの後者は、実施形態における唯一の機能とし得る。ロック手段はロック安全機能をさらに具備し、ロック要素が阻害位置に到達することを防止し得る。ロック手段は、好適にバネまたはそれに類似したものにより付勢され且つロック要素の停止面と協働する停止ピンを具備し、ロック要素が阻害位置に到達することを防止し得る。停止ピンはロック要素ブロック部材と一体に、または個別の部品として形成され得る。
【００８３】
ここに記載された特徴は、組み合わせについての明確な表現または記載がなくても、多様な方法において組み合わせられることが可能であることが、理解されるべきである。同様に、ここに開示された特徴の組み合わせは、組み合わせられる必要性はなく、単独または他の組み合わせにおいて使用され得る。
【符号の説明】
【００８４】
１  ・・・ロードキャリア
２  ・・・ルーフボックス
３  ・・・基部
４  ・・・蓋
５  ・・・回転手段
１０  ・・・第１ロック手段
１１  ・・・第２ロック手段
１５  ・・・第１ロック部位
１６  ・・・第２ロック部位
１７  ・・・第３ロック部位
２０  ・・・動作機構
２１  ・・・アクチュエータ
３０  ・・・作動要素
３２  ・・・ハウジング
４０  ・・・ロック要素
４１  ・・・ロック部材
４２  ・・・係合部
４３  ・・・ピン
４４  ・・・開口部
４６  ・・・付勢部材
４７  ・・・ロックハウジング
４８  ・・・ガイドトラック
４９  ・・・付勢部材支持面
５０  ・・・ガイドトラック
５１  ・・・突起
６０  ・・・回転可能ハンドル
６１  ・・・位置表示ディスク
６２  ・・・ロックシリンダ
６３  ・・・鍵
６４  ・・・鍵係合要素
６５  ・・・トルク転換手段
６６  ・・・歯車
６７  ・・・カムトラック
７０  ・・・ロック要素ブロック部材
８０  ・・・停止ピン
８１  ・・・バネ
８２  ・・・停止面
【図１】
0006395960.tif 000002
【図２ａ】
0006395960.tif 000003
【図２ｂ】
0006395960.tif 000004
【図２ｃ】
0006395960.tif 000005
【図２ｄ】
0006395960.tif 000006
【図２ｅ】
0006395960.tif 000007
【図２ｆ】
0006395960.tif 000008
【図２ｇ】
0006395960.tif 000009
【図３】
0006395960.tif 000010
【図４】
0006395960.tif 000011
【図５】
0006395960.tif 000012
【図６】
0006395960.tif 000013
【図７】
0006395960.tif 000014
【図８】
0006395960.tif 000015
【図９】
0006395960.tif 000016
【図１０】
0006395960.tif 000017
【図１１】
0006395960.tif 000018
【図１２】
0006395960.tif 000019
【図１３】
0006395960.tif 000020
【図１４ａ】
0006395960.tif 000021
【図１４ｂ】
0006395960.tif 000022
【図１４ｃ】
0006395960.tif 000023
【図１４ｄ】
0006395960.tif 000024
【図１４ｅ】
0006395960.tif 000025
【図１４ｆ】
0006395960.tif 000026
【図１４ｇ】
0006395960.tif 000027
【図１４ｈ】
0006395960.tif 000028
【図１５ａ】
0006395960.tif 000029
【図１５ｂ】
0006395960.tif 000030
【図１５ｃ】
0006395960.tif 000031
【図１５ｄ】
0006395960.tif 000032
【図１５ｅ】
0006395960.tif 000033